(57)【特許請求の範囲】
【請求項１】
開口部を有した絶縁ケースと、貫通孔を有するとともに、前記絶縁ケース内に収納したボビンと、前記ボビンの貫通孔に挿入した磁芯と、前記ボビンに巻回した一次コイルおよび二次コイルと、前記絶縁ケースの前記開口部に嵌合したフォーカスホルダーと、前記フォーカスホルダー内に収納したフォーカスブロックと、前記フォーカスブロックの前面に有したスクリーン電圧調整体およびフォーカス電圧調整体と、前記フォーカスブロックの背面に有した高圧電子部品接続用端子と、前記二次コイルに接続するとともに、前記絶縁ケースの外側に排出した高圧リード線と、前記スクリーン電圧調整体に接続するとともに、前記フォーカスホルダーの外側に排出したスクリーン電圧リード線と、前記フォーカス電圧調整体に接続するとともに、前記フォーカスホルダーの外側に排出したフォーカス電圧リード線とを備え、前記フォーカスブロックの前面には、前記スクリーン電圧調整体に接続され、前記スクリーン電圧リード線と電気的接続するスクリーン電圧端子を突出させるとともに、前記フォーカス電圧調整体に接続され、前記フォーカス電圧リード線と電気的接続するフォーカス電圧端子を突出させており、前記フォーカスホルダーには、前記スクリーン電圧調整体および前記フォーカス電圧調整体を突出させる貫通孔を形成するとともに、前記フォーカスホルダーの内側から外側へ前記スクリーン電圧リード線を排出するスクリーン用排出孔および前記フォーカス電圧リード線を排出するフォーカス用排出孔を形成し、かつ前記貫通孔は前記フォーカスホルダーの前面に形成するとともに、前記スクリーン用排出孔および前記フォーカス用排出孔の内、少なくとも一方は前記フォーカスブロックの前面の延長線上に対向するように前記フォーカスホルダーの上面に形成したフライバックトランス。
【請求項２】
スクリーン用排出孔またはフォーカス用排出孔の内、一方はフォーカスブロックの前面の延長線上に対向するように前記フォーカスホルダーの上面に形成し、他方は前記フォーカスホルダーの前面よりも突出するように、前記フォーカスホルダーの前面に設けた筒部に形成した請求項１記載のフライバックトランス。
【請求項３】
フォーカスホルダーの前面には、筒部に連接するように溝部を設けるとともに、前記溝部にスクリーン電圧リード線またはフォーカス電圧リード線を配置した請求項１記載のフライバックトランス。
【請求項４】
フォーカスブロックの前面には、スクリーン電圧端子およびフォーカス電圧端子に連接するように凹部を設けるとともに、前記凹部にスクリーン電圧リード線またはフォーカス電圧リード線を配置した請求項１記載のフライバックトランス。
【請求項５】
絶縁ケース内およびフォーカスブロックを収納したフォーカスホルダー内には絶縁樹脂を充填するとともに、前記フォーカスブロックの前面に形成したスクリーン電圧端子およびフォーカス電圧端子も前記絶縁樹脂により被覆した請求項１記載のフライバックトランス。
【請求項６】
フォーカスブロックの前面には、スクリーン電圧調整体およびフォーカス電圧調整体の外周部に外周壁を設けるとともに、フォーカスホルダー内に前記外周壁に嵌合する嵌合部を設け、前記スクリーン電圧調整体および前記フォーカス電圧調整体の外周部内には絶縁樹脂を非充填とした請求項５記載のフライバックトランス。
【発明の詳細な説明】
【０００１】
【発明の属する技術分野】
本発明は、各種の映像機器等に用いるフライバックトランスに関するものである。
【０００２】
【従来の技術】
以下、従来のフライバックトランスについて図面を参照しながら説明する。
【０００３】
図６は従来のフライバックトランスの斜視図、図７は同フライバックトランスのフォーカスブロックを収納したフォーカスホルダーの背面斜視図である。
【０００４】
図６、図７において、従来のフライバックトランスは、開口部を有した絶縁ケース１と、この絶縁ケース１内に収納した貫通孔を有するボビンと、このボビンの貫通孔に挿入した磁芯と、ボビンに巻回した一次コイルおよび二次コイルと、絶縁ケース１の開口部に嵌合したフォーカスホルダー２と、このフォーカスホルダー２内に収納したフォーカスブロック３と、このフォーカスブロック３の前面に有した１個のスクリーン電圧調整体４（ディスプレイ等の明るさ調整用）および２個のフォーカス電圧調整体５（ディスプレイ等の焦点調整用）と、フォーカスブロック３の背面に有した高圧電子部品接続用端子６と、この高圧電子部品接続用端子６に接続した高圧コンデンサ等の高圧電子部品７と、二次コイルに接続するとともに、絶縁ケース１の外側に排出した４０ｋＶ程度の耐電圧特性がある１本の高圧リード線８（ディスプレイ等の陰極線管に接続する）と、１個のスクリーン電圧調整体４に接続するとともに、絶縁ケース１の外側に排出した１２００Ｖ程度の耐電圧特性がある１本のスクリーン電圧リード線９と、２個のフォーカス電圧調整体５に接続するとともに、絶縁ケース１の外側に排出した２０ｋＶ程度の耐電圧特性がある２本のフォーカス電圧リード線１０とを備えている。
【０００５】
また、フォーカスブロック３の前面には、上から順番に、１個目のフォーカス電圧調整体５、２個目のフォーカス電圧調整体５、スクリーン電圧調整体４と配置しており、フォーカスブロック３の背面には、上から順に、高圧電子部品接続用端子６と共有した１個目のフォーカス電圧端子１１、２個目のフォーカス電圧端子１１、スクリーン電圧端子１２と配置している。
【０００６】
さらに、２本のフォーカス電圧リード線１０は２個のフォーカス電圧端子１１に接続するとともに、フォーカスブロック３の背面に沿って、絶縁ケース１の上面から外側へ排出孔１３を介して排出しており、スクリーン電圧リード線９はスクリーン電圧端子１２に接続するとともに、フォーカスブロック３の背面に沿って、絶縁ケース１の上面から外側へ排出孔１３を介して排出している。
【０００７】
【発明が解決しようとする課題】
上記従来の構成では、スクリーン電圧リード線９を、フォーカスブロック３の背面に沿って、絶縁ケース１の上面から外側へ排出孔１３を介して排出する際に、フォーカスブロック３の背面に配置したフォーカス電圧端子１１の近傍を引き廻すように配置するので、フォーカス電圧端子１１とスクリーン電圧リード線９との間で絶縁破壊を生じる恐れがあり、この絶縁破壊を回避するため、フォーカス電圧端子１１から離れた部分を引き廻せば、スクリーン電圧リード線９の配置が複雑になるという問題点を有していた。
【０００８】
本発明は上記問題点を解決するもので、スクリーン電圧リード線またはフォーカス電圧リード線の配置を複雑にすることなく、スクリーン電圧端子またはフォーカス電圧端子との間での絶縁破壊を防止したフライバックトランスを提供することを目的としている。
【０００９】
【課題を解決するための手段】
本発明は上記目的を達成するために、以下の構成を有する。
【００１０】
本発明の請求項１記載の発明は、特に、フォーカスブロックの前面には、スクリーン電圧調整体に接続され、スクリーン電圧リード線と電気的接続するスクリーン電圧端子を突出させるとともに、フォーカス電圧調整体に接続され、フォーカス電圧リード線と電気的接続するフォーカス電圧端子を突出させており、フォーカスホルダーには、前記スクリーン電圧調整体およびフォーカス電圧調整体を突出させる貫通孔を形成するとともに、前記フォーカスホルダーの内側から外側へ前記スクリーン電圧リード線を排出するスクリーン用排出孔および前記フォーカス電圧リード線を排出するフォーカス用排出孔を形成し、かつ、前記貫通孔は前記フォーカスホルダーの前面に形成するとともに、前記スクリーン用排出孔および前記フォーカス用排出孔の内、少なくとも一方は前記フォーカスブロックの前面の延長線上に対向するように前記フォーカスホルダーの上面に形成した構成である。
【００１１】
上記構成により、スクリーン電圧リード線およびフォーカス電圧リード線をフォーカスブロックの前面とフォーカスホルダーの前面との間から、フォーカスホルダーに形成したスクリーン用排出孔またはフォーカス用排出孔を介して、フォーカスホルダーの外側へ排出するので、スクリーン用排出孔またはフォーカス用排出孔はフォーカスホルダーの任意な部分に形成しやすく、スクリーン用排出孔およびフォーカス用排出孔の内、少なくとも一方をフォーカスブロックの前面の延長線上に対向するようにフォーカスホルダーの上面に形成すれば、他方はスクリーン電圧端子またはフォーカス電圧端子との絶縁距離を考慮した位置に容易に形成できる。
【００１２】
これにより、スクリーン電圧リード線およびフォーカス電圧リード線をスクリーン電圧端子またはフォーカス電圧端子の近傍に配置しないようにできるので、絶縁破壊の発生を防止することができる。
【００１３】
また、絶縁破壊を回避するために、スクリーン電圧リード線またはフォーカス電圧リード線を特別に引き廻す必要もないので、スクリーン電圧リード線またはフォーカス電圧リード線の配置も複雑になることがない。
【００１４】
本発明の請求項２記載の発明は、請求項１記載の発明において、特に、スクリーン用排出孔またはフォーカス用排出孔の内、一方はフォーカスブロックの前面の延長線上に対向するように前記フォーカスホルダーの上面に形成し、他方は前記フォーカスホルダーの前面よりも突出するように、前記フォーカスホルダーの前面に設けた筒部に形成した構成である。
【００１５】
上記構成により、筒部はフォーカスホルダーの前面よりも突出するように設けているので、より絶縁距離を考慮した位置に形成しやすく、的確に絶縁破壊の発生を防止することができる。
【００１６】
本発明の請求項３記載の発明は、請求項１記載の発明において、特に、フォーカスホルダーの前面には、筒部に連接するように溝部を設けるとともに、前記溝部にスクリーン電圧リード線またはフォーカス電圧リード線を配置した構成である。
【００１７】
上記構成により、フォーカスホルダーに対して、スクリーン電圧リード線またはフォーカス電圧リード線の位置決めが容易となり、フォーカスブロックとフォーカスホルダーとの間にスクリーン電圧リード線またはフォーカス電圧リード線が挟まれて生じる微小傷等に起因した絶縁破壊を抑制できる。
【００１８】
本発明の請求項４記載の発明は、請求項１記載の発明において、特に、フォーカスブロックの前面には、スクリーン電圧端子およびフォーカス電圧端子に連接するように凹部を設けるとともに、前記凹部にスクリーン電圧リード線またはフォーカス電圧リード線を配置した構成である。
【００１９】
上記構成により、フォーカスブロックに対して、スクリーン電圧リード線またはフォーカス電圧リード線の位置決めが容易となり、フォーカスブロックとフォーカスホルダーとの間にスクリーン電圧リード線またはフォーカス電圧リード線が挟まれて生じる微小傷等に起因した絶縁破壊を抑制できる。
【００２０】
本発明の請求項５記載の発明は、請求項１記載の発明において、特に、絶縁ケース内およびフォーカスブロックを収納したフォーカスホルダー内には絶縁樹脂を充填するとともに、前記フォーカスブロックの前面に形成したスクリーン電圧端子およびフォーカス電圧端子も前記絶縁樹脂により被覆した構成である。
【００２１】
上記構成により、スクリーン電圧端子およびフォーカス電圧端子も前記絶縁樹脂により被覆しているので、スクリーン電圧端子およびフォーカス電圧端子とスクリーン電圧調整体およびフォーカス電圧調整体との間で生じる絶縁破壊を抑制できる。
【００２２】
本発明の請求項６記載の発明は、請求項５記載の発明において、特に、フォーカスブロックの前面には、スクリーン電圧調整体およびフォーカス電圧調整体の外周部に外周壁を設けるとともに、フォーカスホルダー内に前記外周壁に嵌合する嵌合部を設け、前記スクリーン電圧調整体および前記フォーカス電圧調整体の外周部内には絶縁樹脂を非充填した構成である。
【００２３】
上記構成により、絶縁樹脂によって、スクリーン電圧調整体およびフォーカス電圧調整体を誤って固定することを抑制できる。
【００２４】
【発明の実施の形態】
（実施の形態１）
以下、一実施の形態を用いて、本発明の全請求項に記載した発明について図面を参照しながら説明する。
【００２５】
図１は本発明の一実施の形態におけるフライバックトランスの分解斜視図、図２は同フライバックトランスの斜視図、図３は同フライバックトランスのフォーカスブロックを収納したフォーカスホルダーの背面斜視図、図４は同フライバックトランスのフォーカスホルダーの背面斜視図、図５は同フライバックトランスのフォーカスブロックの斜視図である。
【００２６】
図１〜図５において、本発明の一実施の形態におけるフライバックトランスは、開口部２１を有した絶縁ケース２２と、貫通孔２３を有するとともに、この絶縁ケース２２内に収納したボビン２４と、このボビン２４の貫通孔２３に挿入した磁芯２５と、ボビン２４に巻回した一次コイル２６および二次コイル２７と、絶縁ケース２２の開口部２１に嵌合したフォーカスホルダー２８と、このフォーカスホルダー２８内に収納したフォーカスブロック２９と、このフォーカスブロック２９の前面に有した１個のスクリーン電圧調整体３０（ディスプレイ等の明るさ調整用）および２個のフォーカス電圧調整体３１（ディスプレイ等の焦点調整用）と、フォーカスブロック２９の背面に有した高圧電子部品接続用端子３２と、この高圧電子部品接続用端子３２に接続した高圧コンデンサ等の高圧電子部品３３と、二次コイル２７に接続するとともに、絶縁ケース２２の外側に排出した４０ｋＶ程度の耐電圧特性がある１本の高圧リード線２０（ディスプレイ等の陰極線管に接続する）と、１個のスクリーン電圧調整体３０に接続するとともに、フォーカスホルダー２８の外側に排出した１２００Ｖ程度の耐電圧特性がある１本のスクリーン電圧リード線３４と、２個のフォーカス電圧調整体３１に接続するとともに、フォーカスホルダー２８の外側に排出した２０ｋＶ程度の耐電圧特性がある２本のフォーカス電圧リード線３５とを備えている。
【００２７】
また、図５に示すように、フォーカスブロック２９の前面には、スクリーン電圧調整体３０に接続され、スクリーン電圧リード線３４と電気的接続するスクリーン電圧端子３６を突出させるとともに、フォーカス電圧調整体３１に接続され、フォーカス電圧リード線３５と電気的接続するフォーカス電圧端子３７を突出させている。
【００２８】
さらに、図３、図４に示すように、フォーカスホルダー２８には、スクリーン電圧調整体３０およびフォーカス電圧調整体３１を突出させる貫通孔４５を形成するとともに、フォーカスホルダー２８の内側から外側へ、スクリーン電圧リード線３４を排出するスクリーン用排出孔３８およびフォーカス電圧リード線３５を排出するフォーカス用排出孔３９を形成し、かつ、貫通孔４５はフォーカスホルダー２８の前面に形成するとともに、スクリーン用排出孔３８およびフォーカス用排出孔３９の内、一方のフォーカス用排出孔３９はフォーカスブロック２９の前面の延長線上に対向するようにフォーカスホルダー２８の上面に形成している。
【００２９】
このとき、他方のスクリーン用排出孔３８はフォーカスホルダー２８の前面よりも突出するように、フォーカスホルダー２８の前面に設けた筒部４０に形成するとともに、フォーカスホルダー２８の前面には、筒部４０に連接するように溝部４１を設けて、この溝部４１にスクリーン電圧リード線３４を配置している。
【００３０】
特に、フォーカスブロック２９の前面にも、スクリーン電圧端子３６およびフォーカス電圧端子３７に連接するように凹部４２を設けるとともに、この凹部４２にスクリーン電圧リード線３４またはフォーカス電圧リード線３５を配置している。
【００３１】
そして、絶縁ケース２２内およびフォーカスブロック２９を収納したフォーカスホルダー２８内には絶縁樹脂を充填するとともに、フォーカスブロック２９の前面に形成したスクリーン電圧端子３６およびフォーカス電圧端子３７も絶縁樹脂により被覆している。
【００３２】
この際、フォーカスブロック２９の前面には、スクリーン電圧調整体３０およびフォーカス電圧調整体３１の外周部に外周壁４３を設けるとともに、フォーカスホルダー２８内に外周壁４３に嵌合する嵌合部４４を設け、スクリーン電圧調整体３０およびフォーカス電圧調整体３１の外周部内には絶縁樹脂を非充填するようにしている。
【００３３】
上記構成のフライバックトランスについて、以下その動作を説明する。
【００３４】
上記構成により、スクリーン電圧リード線３４およびフォーカス電圧リード線３５をフォーカスブロック２９の前面とフォーカスホルダー２８の前面との間から、フォーカスホルダー２８に形成したスクリーン用排出孔３８またはフォーカス用排出孔３９を介して、フォーカスホルダー２８の外方へ排出するので、スクリーン用排出孔３８またはフォーカス用排出孔３９はフォーカスホルダー２８の任意な部分に形成しやすく、スクリーン用排出孔３８およびフォーカス用排出孔３９の内、少なくとも一方をフォーカスブロック２９の前面の延長線上に対向するようにフォーカスホルダー２８の上面に形成すれば、他方はスクリーン電圧端子３６またはフォーカス電圧端子３７との絶縁距離を考慮した位置に容易に形成できる。
【００３５】
これにより、スクリーン電圧リード線３４およびフォーカス電圧リード線３５をスクリーン電圧端子３６またはフォーカス電圧端子３７の近傍に配置しないようにできるので、絶縁破壊の発生を防止することができる。特に、筒部４０はフォーカスホルダー２８の前面よりも突出するように、フォーカスホルダー２８の前面に設けているので、より絶縁距離を考慮した位置に形成しやすく、的確に絶縁破壊の発生を防止することができる。
【００３６】
また、絶縁破壊を回避するために、スクリーン電圧リード線３４またはフォーカス電圧リード線３５を特別に引き廻す必要もないので、スクリーン電圧リード線３４またはフォーカス電圧リード線３５の配置も複雑になることがない。
【００３７】
さらに、フォーカスホルダー２８の前面には、筒部４０と連接するように溝部４１を設けているので、フォーカスホルダー２８に対して、スクリーン電圧リード線３４またはフォーカス電圧リード線３５の位置決めが容易となり、フォーカスブロック２９とフォーカスホルダー２８との間にスクリーン電圧リード線３４またはフォーカス電圧リード線３５が挟まれて生じる微小傷等に起因した絶縁破壊を抑制できるとともに、スクリーン電圧端子３６およびフォーカス電圧端子３７に連接するように凹部４２を設けているので、フォーカスブロック２９に対して、スクリーン電圧リード線３４またはフォーカス電圧リード線３５の位置決めが容易となり、フォーカスブロック２９とフォーカスホルダー２８との間にスクリーン電圧リード線３４またはフォーカス電圧リード線３５が挟まれて生じる微小傷等に起因した絶縁破壊を抑制できる。
【００３８】
そして、スクリーン電圧端子３６およびフォーカス電圧端子３７も前記絶縁樹脂により被覆しているので、スクリーン電圧端子３６およびフォーカス電圧端子３７とスクリーン電圧調整体３０およびフォーカス電圧調整体３１との間で生じる絶縁破壊を抑制できるとともに、スクリーン電圧調整体３０およびフォーカス電圧調整体３１の外周部内には絶縁樹脂を非充填しているので、絶縁樹脂によって、スクリーン電圧調整体３０およびフォーカス電圧調整体３１を誤って固定することを抑制できる。
【００３９】
このように本発明の一実施の形態によれば、スクリーン電圧リード線３４またはフォーカス電圧リード線３５の配置を複雑にすることなく、スクリーン電圧端子３６またはフォーカス電圧端子３７との間での絶縁破壊を防止することができる。
【００４０】
また、フォーカスブロック２９とフォーカスホルダー２８との間にスクリーン電圧リード線３４またはフォーカス電圧リード線３５が挟まれて生じる微小傷等に起因した絶縁破壊を抑制できるとともに、スクリーン電圧端子３６およびフォーカス電圧端子３７とスクリーン電圧調整体３０およびフォーカス電圧調整体３１との間で生じる絶縁破壊を抑制できる。
【００４１】
さらに、絶縁樹脂によって、スクリーン電圧調整体３０およびフォーカス電圧調整体３１を誤って固定することを抑制できる。
【００４２】
なお、本発明の一実施の形態におけるスクリーン電圧リード線３４およびスクリーン電圧端子３６をフォーカス電圧リード線３５およびフォーカス電圧端子３７と入れ替えても同様である。
【００４３】
【発明の効果】
以上のように本発明によれば、スクリーン用排出孔またはフォーカス用排出孔はフォーカスホルダーの任意な部分に形成しやすく、スクリーン用排出孔およびフォーカス用排出孔の内、少なくとも一方をフォーカスブロックの前面の延長線上に対向するようにフォーカスホルダーの上面に形成すれば、他方はスクリーン電圧端子またはフォーカス電圧端子との絶縁距離を考慮した位置に容易に形成できるので、スクリーン電圧リード線またはフォーカス電圧リード線の配置を複雑にすることなく、スクリーン電圧端子またはフォーカス電圧端子との間での絶縁破壊を防止したフライバックトランスを提供することができる。
【図面の簡単な説明】
【図１】本発明の一実施の形態におけるフライバックトランスの分解斜視図
【図２】同フライバックトランスの斜視図
【図３】同フライバックトランスのフォーカスブロックを収納したフォーカスホルダーの背面斜視図
【図４】同フライバックトランスのフォーカスホルダーの背面斜視図
【図５】同フライバックトランスのフォーカスブロックの斜視図
【図６】従来のフライバックトランスの斜視図
【図７】同フライバックトランスのフォーカスブロックを収納したフォーカスホルダーの背面斜視図
【符号の説明】
２０  高圧リード線
２１  開口部
２２  絶縁ケース
２３  貫通孔
２４  ボビン
２５  磁芯
２６  一次コイル
２７  二次コイル
２８  フォーカスホルダー
２９  フォーカスブロック
３０  スクリーン電圧調整体
３１  フォーカス電圧調整体
３２  高圧電子部品接続用端子
３３  高圧電子部品
３４  スクリーン電圧リード線
３５  フォーカス電圧リード線
３６  スクリーン電圧端子
３７  フォーカス電圧端子
３８  スクリーン用排出孔
３９  フォーカス用排出孔
４０  筒部
４１  溝部
４２  凹部
４３  外周壁
４４  嵌合部
４５  貫通孔
【図１】
0003587173.tif 000002
【図２】
0003587173.tif 000003
【図３】
0003587173.tif 000004
【図４】
0003587173.tif 000005
【図５】
0003587173.tif 000006
【図６】
0003587173.tif 000007
【図７】
0003587173.tif 000008